(57)【要約】【課題】歩行訓練者を免荷するように吊り上げて歩行訓練を容易化する。痛みを感じさせることなくスリングシートからずり下がらないようにする。【解決手段】スリングシート１は、腰の回りないし左右の足の大腿部の回りを後側から囲んで前側で合わせることのできるシート本体２と、シート本体２の腰対応位置に設けられた腰ベルト３と、シート本体２の臀部下部対応位置に設けられた臀部下部ベルト４と、シート本体２から延びて介護用リフトに引掛けるためのストラップ５とを備える。ストラップ５の第一端部１８が腰ベルト３のうちの身体前面に対応する位置に接続され、ストラップ５の第二端部１９が腰ベルト３のうちの背中に対応する位置に接続され、ストラップ５の第一端部１８に近い中間部が、臀部下部ベルト４のうちの身体前面に対応する位置に取り付けられた連動リング２３に摺動可能に通されている。【選択図】図１
2011083460.tif 000002
【特許請求の範囲】
【請求項１】
腰の回りないし臀部の回りを後側から囲んで前側で合わせることのできるシート本体（２）と、シート本体（２）の腰対応位置に設けられた腰ベルト（３）と、シート本体（２）の臀部下部対応位置に設けられた臀部下部ベルト（４）と、シート本体２から延びて介護用リフトに引掛けるためのストラップ（５）とを備え、ストラップ（５）の第一端部（１８）が腰ベルト（３）のうちの身体前面に対応する位置に接続され、ストラップ（５）の第二端部（１９）が腰ベルト（３）のうちの背中に対応する位置に接続され、ストラップ（５）の第一端部（１８）に近い中間部が、臀部下部ベルト（４）のうちの身体前面に対応する位置に取り付けられた連動リング（２３）に摺動可能に通されており、ストラップ（５）を介護用リフトにより吊り上げたときに、連動リング（２３）とともに臀部下部ベルト（４）の前部が引き上げられるようになっているスリングシート。
【請求項２】
シート本体（２）は、左右の足の大腿部の回りをも後側から囲んで前側で合わせることのできるものである請求項１記載のスリングシート。
【発明の詳細な説明】
【技術分野】
【０００１】
本発明は、病人、怪我人、高齢弱者等の要介護者を吊り上げる際に使用するスリングシートに関し、特に、歩行訓練者を足にかかる荷重を軽減する（免荷）するように吊り上げるのに適するスリングシートに係るものである。
【背景技術】
【０００２】
スリングシートは、要介護者をベッド、車椅子、便座、風呂等の相互間で移動させるときに用いられており、要介護者を保持するシート本体と、シート本体から延びて介護用リフトに引掛けるためのストラップとからなる（特許文献１）。
【先行技術文献】
【特許文献】
【０００３】
【特許文献１】特開２００１−８７３２４号公報
【発明の概要】
【発明が解決しようとする課題】
【０００４】
脳卒中や下肢の怪我からの回復期におけるリハビリテーション等のために、歩行訓練をするとき、足に力が入らず、自分の体重を支えることが困難な場合が多い。このような場合に、器具を使用して、足にかかる体重を軽減する（免荷）することができれば、歩行訓練が容易になる。
【０００５】
本発明者は、スリングシートと介護用リフトを使用して、歩行訓練者を免荷するように吊り上げることを検討した。この目的には、シート本体が股間に通して左足及び右足の各大腿部を抱えるタイプ（特許文献１の図６、図７）が向くと思われたが、このタイプを使用して吊り上げ、歩行訓練をしたところ、股間が痛くなるという問題があった。その他、胸を締めるタイプのスリングシートを使用して吊り上げ、歩行訓練をしたところ、胸が痛くなった。
【０００６】
本発明が解決しようとする課題は、歩行訓練者を免荷するように吊り上げて歩行訓練を容易化するだけでなく、歩行訓練時に痛みを感じさせることなく歩行訓練者をスリングシートからずり下がらないようにする点にある。
【課題を解決するための手段】
【０００７】
本発明のスリングシートは、腰の回りないし臀部の回りを後側から囲んで前側で合わせることのできるシート本体と、シート本体の腰対応位置に設けられた腰ベルトと、シート本体の臀部下部対応位置に設けられた臀部下部ベルトと、シート本体から延びて介護用リフトに引掛けるためのストラップとを備え、ストラップの第一端部が腰ベルトのうちの身体前面に対応する位置に接続され、ストラップの第二端部が腰ベルトのうちの背中に対応する位置に接続され、ストラップの第一端部に近い中間部が、臀部下部ベルトのうちの身体前面に対応する位置に取り付けられた連動リングに摺動可能に通されており、ストラップを介護用リフトにより吊り上げたときに、連動リングとともに臀部下部ベルトの前部が引き上げられるようになっていることを、最も主要な特徴とする。シート本体は、左右の足の大腿部の回りをも後側から囲んで前側で合わせることのできるものが好ましい。
【発明の効果】
【０００８】
本発明のスリングシートによれば、歩行訓練者を免荷するように吊り上げて歩行訓練を容易化できるだけでなく、歩行訓練時に痛みを感じさせることなく歩行訓練者をスリングシートからずり下がらないようにできるという優れた効果を奏する。
【図面の簡単な説明】
【０００９】
【図１】実施例のスリングシートを展開した状態の背面図である。
【図２】同スリングシートを丸めた状態の正面図である。
【図３】同スリングシートを歩行訓練者に装着した状態の正面図である。
【図４】（ａ）は同スリングシートを歩行訓練者に装着した状態の側面図、（ｂ）は同スリングシートにより歩行訓練者を吊り上げた状態の側面図である。
【図５】同スリングシートにより歩行訓練者を吊り上げて歩行訓練するときの側面図である。
【発明を実施するための形態】
【００１０】
スリングシートは、腰の回りないし臀部の回りを後側から囲んで前側で合わせることのできるシート本体と、シート本体の腰対応位置に設けられた腰ベルトと、シート本体の臀部下部対応位置に設けられた臀部下部ベルトと、シート本体から延びて介護用リフトに引掛けるためのストラップとを備え、ストラップの第一端部が腰ベルトのうちの身体前面に対応する位置に接続され、ストラップの第二端部が腰ベルトのうちの背中に対応する位置に接続され、ストラップの第一端部に近い中間部が、臀部下部ベルトのうちの身体前面に対応する位置に取り付けられた連動リングに摺動可能に通されており、ストラップを介護用リフトにより吊り上げたときに、連動リングとともに臀部下部ベルトの前部が引き上げられるようになっている。シート本体は、左右の足の大腿部の回りをも後側から囲んで前側で合わせることのできるものが好ましい。
【００１１】
腰ベルト及び臀部下部ベルトは、ベルトの両端を係合できるものであれば、ベルト通し部に変位可能に通すタイプでもよいし、シート本体に縫合（シート本体内部への縫い込みを含む）等で取り付ける変位不能にタイプでもよい。
【実施例１】
【００１２】
本発明を具体化した実施例のスリングシート１について、図１〜図５を参照して説明する。このスリングシート１は、歩行訓練者Ｍの腰の回りないし大腿部の回り（本例ではさらには左右の足の大腿部の回り）を後側から囲んで前側で合わせることのできるシート本体２と、シート本体２の腰対応位置に設けられた腰ベルト３と、シート本体２の臀部下部対応位置に設けられた臀部下部ベルト４と、シート本体２から延びて介護用リフトに引掛けるための左右２本のストラップ５とからなる。
【００１３】
シート本体２は、例えば強靱な面状の布よりなる左本体２Ｌと左本体２Ｒとから構成されている。左本体２Ｌと左本体２Ｒは少なくとも下部で左右に分かれており、左右に分かれた各下部の内股側と側縁側とには、互いに係合しうる面ファスナーの対（ループ面とフック面）が例えば縫合により取り付けられている。詳しくは、各下部の内股側には、内面側のループ面６と外面側のループ面７とが取り付けられ、各下部の側縁側には、外面側のフック面８が取り付けられるとともに、このフック面８に向かって蝶番状に開閉する蓋部９がシート本体２に例えば縫合により取り付けられ、蓋部９の内面に内面側のフック面１０が取り付けられている。そして、左本体２Ｌと左本体２Ｒの各下部を、それぞれ左足の大腿部と右足の大腿部の回りを後側から囲んで前側で合わせたときに、まず、蓋部９を開いた状態で、内面側のループ面６を外面側のフック面８に係合し、次に、蓋部９を閉じて、外面側のループ面７に内面側のフック面１０を係合するようになっている。勿論、ループ面とフック面とは互いに入れ替えてもよい。
【００１４】
腰ベルト３は、シート本体２の腰対応位置（本例では上縁部）に例えば縫合により取り付けられた、例えば強靱な帯状の布よりなる第１腰ベルト１１と、第１腰ベルト１１の外面に例えば縫合により取り付けられた、例えば強靱な帯状の布よりなる第２腰ベルト１２とから構成されている。
【００１５】
第１腰ベルト１１の端部には、脱着具の一例としての互いに係合しうる面ファスナーの対（ループ面とフック面）が例えば縫合により取り付けられている。詳しくは、第１腰ベルト１１の左端部にはフック面１３が取り付けられ、右端部にはループ面１４が取り付けられており、第１腰ベルト１１を、腰の回りを後側から囲んで前側で合わせたときに、フック面１３とループ面１４とを係合するようになっている。勿論、ループ面とフック面とは互いに入れ替えてもよい。
【００１６】
第２腰ベルト１２の端部には、脱着具の一例としての互いに係合しうるバックルの対（オス１６とメス１５）が取り付けられている。詳しくは、第２腰ベルト１２の左端部にはメス１５が取り付けられ、右端部にはオス１６が取り付けられており、第２腰ベルト１２を、腰の回りを後側から囲んで前側で合わせたときに、オス１６とメス１５とを係合するようになっている。勿論、オス１６とメス１５とは互いに入れ替えてもよい。
【００１７】
第２腰ベルト１２の左右方向中間部には、介護する者が掴んで歩行訓練者Ｍを支えるための取手１７が複数個取り付けられている。取手１７は第１腰ベルト１１に取り付けてもよい。
【００１８】
腰ベルト３のうちの、身体前面の左部及び右部に対応する位置には、ストラップ５の第一端部１８が接続されており、背中の左部及び右部に対応する位置には、ストラップ５の第二端部１９が接続されている。接続の一例として、ストラップ５の第一端部１８は腰ベルト３に縫合により接続されており、ストラップ５の第二端部１９は腰ベルト３に強靱な布等で取り付けられた接続リング２０に接続されている。
【００１９】
臀部下部ベルト４は、例えば強靱な帯状の布よりなり、シート本体２の臀部下部対応位置（本例では上下中間部）に縫合等により取り付けられた複数のベルト通し部２１に変位可能に通され、詳しくは、左右方向中央部から前へ回り込むに連れて前上がりに傾斜するように（従って、背面視でＶ字状に）通されるようになっている。なお、前述したとおり、臀部下部ベルト４は、その中間部をシート本体２に変位可能に縫合して、両端部を互いに係合できるようにしたものでもよく、これもシート本体２の臀部下部対応位置に背面視でＶ字状に設けられる。
【００２０】
臀部下部ベルト４の端部には、脱着具の一例としてのバックル２２が取り付けられている。詳しくは、臀部下部ベルト４の右端部には、左端部を通して締め止めるためのバックル２２が取り付けられ、臀部下部ベルト４を、臀部下部に後側から当てて前側で合わせたときに、左端部をバックル２２に通して引き締めた上で締め止めるようになっている。勿論、バックル２２は右端部に取り付けてもよい。
【００２１】
臀部下部ベルト４のうち、身体前面の左部及び右部に対応する位置には、連動リング２３が強靱な布等で取り付けられており、前記ストラップ５の前記第一端部１８に近い中間部が、この連動リング２３に通されている。なお、本例では、連動リング２３は、左右に異なる位置に複数個取り付けられ、胴回りサイズ差に対応して、選択的にストラップ５を通せるようになっている。
【００２２】
左右２本の各ストラップ５は、既に述べたとおり、第一端部１８が腰ベルト３のうちの身体前面の左部及び右部に対応する位置に接続され、この第一端部１８から一旦下方へ延びて連動リング２３に通され、この連動リング２３から使用時に上方へ延び、上端でループ状に折り返して下方へ延び、第一端部１８が腰ベルト３のうちの背中の左部及び右部に対応する位置に接続されている。ストラップ５の途中部には、ストラップ５の長さを調節するための長さ調節具が設けられている。
【００２３】
以上のように構成されたスリングシート１を使用して、介護用リフト３０により歩行訓練者Ｍを吊り上げるには、次のようにする。ここで使用する介護用リフトは、図５に示すように、移動可能なようにキャスター３１が付けられたベース３２と、ベース３２から立設された支柱３３と、支柱３３の上部に取り付けられた電動式のリフト本体３４と、支柱３３の上下方向中間部に取り付けられた支持棒３５とを備えるものである。
【００２４】
まず、図１（背面図）に示すように、シート本体２を、歩行訓練者Ｍの腰ないし大腿部に後側からあてがう。
【００２５】
次に、図２から図３（いずれも正面図）への変化で示すように、左本体２Ｌと左本体２Ｒの各下部を、それぞれ左足の大腿部と右足の大腿部の回りを後側から囲んで前側で合わせ、前述のように内面側のループ面６を外面側のフック面８に係合し、外面側のループ面７に内面側のフック面１０を係合する。また、第１腰ベルト１１を前側で合わせてフック面１３とループ面１４とを係合し、さらに第２腰ベルト１２を前側で合わせてバックルのオス１６とメス１５とを係合する。さらに、臀部下部ベルト４を前側で合わせて、左端部をバックル２２に通して引き締めた上で締め止める。
【００２６】
こうすると、図３及び図４（ａ）に示すように、腰ベルト３（第１腰ベルト１１と第２腰ベルト１２）は歩行訓練者Ｍの腰を締め、臀部下部ベルト４は歩行訓練者Ｍの臀部下部を締め、シート本体２の左本体２Ｌ及び左本体２Ｒの各下部は左足及び右足の大腿部を締めた状態になる。臀部下部ベルト４は前記のとおり前上がりに傾斜しているが、ストラップ５を手で上方へ軽く（連動リング２３は引き上がっても臀部下部ベルト４は引き上がらない程度の弱い力で）引いたときに、ストラップ５が通っている連動リング２３の上端は腰ベルト３よりも１０〜２０ｃｍ下の位置にある。
【００２７】
次に、図５に示すように、長さ調節したストラップ５をリフト本体３４のフック３６に引っ掛ける。そして、リフト本体３４を作動させて、歩行訓練者Ｍの足が床から離れない程度にストラップ５を吊り上げ、足にかかる荷重（体重）を軽減する（免荷）。免荷された歩行訓練者Ｍは、支持棒３５をにぎって介護用リフト３５を移動させながら、容易に歩行訓練をすることができる。このとき、上記のとおり歩行訓練者Ｍの腰と臀部下部の２レベルを締めた状態（さらに本例では左足及び右足の大腿部を含めて３レベルを締めた、好ましい状態）なので、歩いても、股間などに痛みを感じさせることなく、スリングシート１から歩行訓練者Ｍがずり下がることを防止できる。しかも、上記ストラップ５の吊り上げ時に、図４（ｂ）に示すように、ストラップ５が通っている連動リング２３の上端は引き上げられて腰ベルト３に接近し、よって臀部下部ベルト４の前部も引き上げられて前記前上がりの傾斜がさらに強くなる。これにより、臀部下部ベルト４は臀部下部をさらに締めてしっかり支えるので、歩行訓練者Ｍがずり下がる心配がなく、免荷の状態が確実に維持されるとともに、歩きやすい。
【００２８】
本発明は、前記実施例に限定されるものではなく、発明の趣旨から逸脱しない範囲で、適宜変更して具体化することもできる。
【符号の説明】
【００２９】
１    スリングシート
２    シート本体
２Ｌ  左本体
２Ｒ  左本体
３    腰ベルト
４    臀部下部ベルト
５    ストラップ
６    内面側のループ面
７    外面側のループ面
８    外面側のフック面
９    蓋部
１０    内面側のフック面
１１    第１腰ベルト
１２    第２腰ベルト
１３    フック面
１４    ループ面
１５    メス
１６    オス
１７    取手
１８    第一端部
１９    第二端部
２０    接続リング
２１    ベルト通し部
２２    バックル
２３    連動リング
【図１】
2011083460.tif 000003
【図２】
2011083460.tif 000004
【図３】
2011083460.tif 000005
【図４】
2011083460.tif 000006
【図５】
2011083460.tif 000007